(57)【要約】【課題】  端末誘電体層長さに偏差がある場合においても、安定した高周波特性（VSWR）を発揮できる同軸コネクタを提供する。【解決手段】  同軸コネクタＰは、同軸ケーブル１の折り返し編組13´の外周に圧着される圧着部６、及び、ボディ７を有する外部導体８や、ケーブル１の中心導体11に圧着されるコンタクト５、インシュレータ９などを備える。さらに、インシュレータ９に外嵌されているとともに、外部導体８と導通するインナースリーブ４を備える。インナースリーブ４には、折り返し編組13´と接触する、伸縮自在な接触片4bが形成されている。【選択図】  図５
2018006253.tif 000002
【特許請求の範囲】
【請求項１】
中心から外側に、中心導体（11）、誘電体層（12）、編組（13）、及び、シース（14）からなる同軸ケーブル（１）を接続するための同軸コネクタ（Ｐ・Ｊ）であって、
このうち、前記編組（13）の外周に圧着され、該編組（13）が外周に折り返されるスリーブ（３・53）と、
前記編組（13）が折り返された折り返し編組（13´）の外周に圧着される圧着部（６・56）、及び、該圧着部の先につながるボディ（７・57）を有する外部導体（８・58）と、
前記ケーブル１の中心導体11に圧着されるコンタクト（５・55）と、
前記ボディ（７・57）に内蔵されているとともに、前記コンタクト（５・55）が差し込まれるインシュレータ（９、59）とを備え、
さらに、前記インシュレータ（９、59）に外嵌されているとともに、前記外部導体（８・58）と導通するインナースリーブ（４・54・304）を備え、
該インナースリーブ（４・54・304）に、前記折り返し編組（13´）と接触する、伸縮又はスライド自在な接触片（4b・54b・304b）が形成されていることを特徴とする同軸コネクタ（Ｐ・Ｊ）。
【請求項２】
さらに、前記インシュレータ（９、59）の、前記折り返し編組（13´）の端面（13´b）と対向する端面（9b・59b）に張り出す係止片（4d・54d）が、前記インナースリーブ（４・54）に形成されていることを特徴とする請求項１記載の同軸コネクタ（Ｐ・Ｊ）。
【請求項３】
前記接触片（4b・54b）が、前記同軸ケーブル（１）の長手方向に沿う断面視において屈曲した断面を有し、その屈曲角度が変化して長手方向に伸縮するものであることを特徴とする請求項１又は２記載の同軸コネクタ（Ｐ・Ｊ）。
【請求項４】
前記接触片（304b）が、前記折り返し編組（13´）の外周面（13´x）に対して、前記同軸ケーブル（１）の長手方向に沿ってスライド可能に接触するものであることを特徴とする請求項１又は２記載の同軸コネクタ（Ｐ・Ｊ）。
【発明の詳細な説明】
【技術分野】
【０００１】
本発明は、同軸ケーブルを接続する同軸コネクタに関する。特には、ケーブル端末の加工精度の影響を受けにくいように改良を加え、高周波特性を向上させた同軸コネクタに関する。
【背景技術】
【０００２】
同軸ケーブルは、外部への電磁波漏えいや、外部電磁波の侵入が少ないことから、高周波信号の伝送用ケーブルとして、広く用いられている。同軸ケーブルは、テレビ受像機とアンテナとをつなぐケーブルとして、馴染み深いものであるが、近年、車載用としても、カーナビのGPS信号の伝送ケーブルや、カーラジオのアンテナ−チューナー間のケーブル、車載カメラの信号伝送ケーブルなどとして、普及してきている。
【０００３】
複数の同軸ケーブルを接続する同軸コネクタも、多くの種類のものが製造販売されている。以下に、同軸コネクタに関する特許文献を例示する。
【先行技術文献】
【特許文献】
【０００４】
【特許文献１】特開平5−347170号公報
【特許文献２】特開2001-189180号公報
【特許文献３】特表2008-543005号公報
【特許文献４】特開2010-97823号公報
【０００５】
図１１は、同軸ケーブルコネクタの一従来例の断面斜視図である。上のＰがプラグ（オス）であり、下のＪがジャック（メス）である。なお、図では、プラグＰ又はジャックＪの接続部（プラグコンタクト105の先端部105bとジャックコンタクト205の先端部205b）が、ともに図の左斜め下を向いているが、実際の接続時には、両接続部を対向させて嵌合させる。以下、従来例の同軸ケーブル１及びコネクタＰ・Ｊの概要を説明する（詳細及び加工・組立工程については図１２・図１３を参照しつつ後述する）。なお、各図において、「先」とはコンタクトの嵌合部側のことをいい、「元」とはケーブルの側をいう。
【０００６】
同軸ケーブル１は、図の右側に示すように、中心から外側に、中心導体11・誘電体（絶縁体）層12・編組（編組み銅線）13・シース（保護被覆）14からなる。このうち、コネクタ部との接続部における編組13は、その外周に圧着されたスリーブ103の先端部から外周に折り返されている（折り返し編組13´、折り返し加工の方法については図１２を参照しつつ後述する）。
【０００７】
折り返し編組13´の外周には、外部導体108の圧着部106が圧着されている。圧着部106の先には、略円筒形のボディ107がつながっている。ボディ107の内部には、略円筒形のインシュレータ109が嵌め込まれている。インシュレータ109の内部には、オス型のコンタクト105が差し込まれている。コンタクト105は、その元端部105gにおいて、ケーブル１の中心導体11に圧着されている。
【０００８】
ジャックＪは、プラグＰと、ほぼ同様の構造をしており、プラグＰの各部に100を加えた符号で示す部位は、同じ名前の部分を示す。ただし、ジャックＪのコンタクト205は、メス型であって、その中心孔205cには、コネクタ接続時には、プラグＰのオス型コンタクト105の先端挿入部105bが挿入される。また、ジャックＪの外部導体ボディ207の先端部207bもメス型となっており、その内孔207cに、プラグＰの外部導体ボディ107の先端部107bが挿入される。これにより、両ケーブル１の中心導体11同士が、両コンタクト105・205を介して導通するとともに、両ケーブル１の編組13同士が、折り返し編組13´、外部導体108・208を介して導通する。
【０００９】
次に、図１２・図１３を参照しつつ、図１１の同軸コネクタを用いたケーブル接続作業の概要を説明する。
図１２（Ａ）には、同軸ケーブル１の端部が示されている。ここから、ケーブルの一番外側のシース14を、ある長さLBだけ、皮むきした状態が（Ｂ）であり、皮むき部に編組13の外面が現れている。次に、（Ｃ）に示すように上広がりＵ字状のスリーブ103を、皮むきして表れた編組13外面の元側の部分に圧着する（カシメ付ける）と、（Ｄ）の状態となる。
【００１０】
次に、（Ｅ）に示すように、スリーブ103に覆われていない先側の編組13を、元側のスリーブ103の外周面に折り返す。折り返したものが折り返し編組13´である。次いで、（Ｆ）に示すように、誘電体層12を長さLF1だけ残して皮むきする。また、中心導体11を、長さLF2となるように切る。
【００１１】
その後、図１３（Ｇ）に示すように、中心導体11の外面にコンタクト105の元端部105gを圧着し、中心導体11の先にコンタクト105を取付ける。さらに、（Ｈ）に示すように、外部導体ボディ107内に組み込まれたインシュレータ109の内孔109dに、コンタクト105の中央部105dを、元側から差し込む。差し込んだ後、外部導体圧着部106を折り返し編組13´の外面に圧着すると、図１１のプラグＰのように組み上がる。なお、図示及び説明は省略するが、ジャックＪも同様に、ケーブル端末加工と組立て行うことができる。
【発明の概要】
【発明が解決しようとする課題】
【００１２】
上記のような同軸ケーブル端末加工においては、図１４に示すように、同軸ケーブル１の端末加工の際において、皮むき後露出した誘電体層12の長さＢに、加工偏差が生じる。
【００１３】
そのため、図１５に示すように、組立て後のプラグＰにおいて、折り返し編組13´の先側端面13´bと、同面と対向するボディ107の端面107xとの間の隙間Ｃの大きさが、変わってくる。すなわち、図１５（Ａ）は、皮むき後露出した誘電体層12の長さＢ３及び隙間Ｃ３が最大である。同図（Ｂ）は、同長さＢ２及び隙間Ｃ２がノミナルである。同図（Ｃ）は、同長さＢ１及び隙間Ｃ１が最小である。なお、ボディ107の外周が、折り返し編組13´の端面13´bの近傍で大径になっている（ベローズ状に張り出している）のは、コネクタハウジング（図示されず）挿入時の軸ズレを防止するためである。
【００１４】
上記隙間Ｃの差は、隙間Ｃ部分において、空気層の大きさの差が存在することを意味する。空気層は電気的には誘電率の低い層であるので、空気層の大小により、同軸コネクタの電気的特性（インピーダンス特性や高周波特性（VSWR））が影響を受ける。
【００１５】
一般に、同軸コネクタの高周波特性を悪化させる大きな要因の一つとして、インピーダンスの不整合が挙げられる。図９は、同軸コネクタの長手方向に、インピーダンス（TDR、Ω）をシミュレーションしたグラフである。上段のＢ１（min．）は、露出した誘電体層12の長さが最小の場合であり、中段のＢ２（nomi．）は、露出した誘電体層12の長さが設計値の場合であり、下段のＢ３（max.）は、露出した誘電体層12の長さが最大の場合である。図中の小幅破線のカーブ（Patern Ｄ、ほとんど長破線Patern Ｂと重なっている）が、従来の同軸コネクタの場合である（他の種類の線については、本発明の実施形態の説明において後述する）。
【００１６】
図９には、インピーダンスが急変するピーク状の部分が、各段のカーブに三箇所ずつ存在することが見てとれる。この三箇所のピーク部分のうち、両サイドの部分は、端末加工部（露出した誘電体層12の周りの部分）である。中央のピークは、オスメスコンタクト105・205の嵌合部分である。これらのピークのうち、中央のピークは、上中下の欄でほぼ一定である。しかし、両サイドのピークは、Ｂ１（min．）の欄が比較的低いのに対して、Ｂ２（nominal）・Ｂ３（max.）の欄で相当高くなっている（中央ピークよりも高くなっている）ことが分かる。これは、折り返し編組13´とボディ107との間に、図１５を参照しつつ前述したように、誘電率の低い空気層が広がっているため、同部でインピーダンスの増加を招いたものと考えられる。
【００１７】
次に、図９に示すようなインピーダンスの不整合が同軸コネクタに存在する場合における、同軸コネクタの高周波特性の悪化について説明する。
【００１８】
図１０は、同軸コネクタに流れる信号の周波数（横軸、GHz）と、VSWR;Voltage Standing Wave Ratio （電圧定在波比、縦軸、Y1）との関係を表すグラフであって、シミュレーションにより作製したものである。上段のＢ１（min．）は、露出した誘電体層12の長さが最小の場合であり、中段のＢ２（nominal）は、露出した誘電体層12の長さが設計値の場合であり、下段のＢ３（max.）は、露出した誘電体層12の長さが最大の場合である。図中の小幅破線のカーブ（Patern Ｄ、ほとんど長破線Patern Ｂと重なっている）が、従来の同軸コネクタの場合である（他の種類の線については、本発明の実施形態の説明において後述する）。
【００１９】
図１０において、各段ともに、信号の周波数が高くなるほど、VSWRは高くなる傾向がある。そして、Ｂ２（nominal）及びＢ３（max.）のカーブにおいては、ほぼ５GHzのあたりに、ピークが出現している。このピークは、同軸ケーブルの誘電体層12の端末加工長さ（端末誘電体層長さ）が長くなることによるインピーダンスの不整合に起因するものである。なお、近い将来に達成が求められるVSWRの目標値は、周波数６GHzで1.5以下と予想される。従来品では、端末誘電体層長さＢ２（nominal）及びＢ３（max.）において、この目標値を超えることとなる。
【００２０】
本発明は、上記の問題点に鑑みてなされたものであって、端末誘電体層長さに偏差（ばらつき）がある場合においても、安定した高周波特性（VSWR）を発揮できる同軸コネクタを提供することを目的とする。
【課題を解決するための手段】
【００２１】
この「課題を解決するための手段」の項、及び、「特許請求の範囲」においては、添付図各部の参照符号を括弧書きして示すが、これは単に参考のためであって、権利範囲を添付図のものに限定するものではない。
【００２２】
本発明の同軸コネクタ（Ｐ・Ｊ）は、  中心から外側に、中心導体（11）、誘電体層（12）、編組（13）、及び、シース（14）からなる同軸ケーブル（１）を接続するための同軸コネクタ（Ｐ・Ｊ）であって、  このうち、前記編組（13）の外周に圧着され、該編組（13）が外周に折り返されるスリーブ（３・53）と、  前記編組（13）が折り返された折り返し編組（13´）の外周に圧着される圧着部（６・56）、及び、該圧着部の先につながるボディ（７・57）を有する外部導体（８・58）と、  前記ケーブル１の中心導体11に圧着されるコンタクト（５・55）と、  前記ボディ（７・57）に内蔵されているとともに、前記コンタクト（５・55）が差し込まれるインシュレータ（９、59）とを備え、
さらに、前記インシュレータ（９、59）に外嵌されているとともに、前記外部導体（８・58）と導通するインナースリーブ（４・54）を備え、  該インナースリーブ（４・54）に、前記折り返し編組（13´）と接触する、伸縮又はスライド自在な接触片（4b・54b）が形成されていることを特徴とする。
【００２３】
接触片（4b・54b）は、折り返し編組（13´）と外部導体（８・58）とをブリッジして導通させる。接触片（4b・54b）は、伸縮又はスライド自在であり、端末誘電体層長さに偏差（ばらつき）がある場合においても、折り返し編組（13´）と外部導体（８・58）との間に、経路が短く外部導体内径よりも外径の小さい導通路を確保する。また、接触片（4b・54b）は、上記両者間の空気層に存在する導電体であるので、空気層の存在に伴うインピーダンス増加を抑制する。これにより、安定した高周波特性（VSWR）を発揮できる同軸コネクタを提供できる。
【００２４】
なお、接触片（4b・54b）を、インシュレータ（９、59）に外嵌されているインナースリーブ（４・54）に形成することにより、部品点数を増やさずにすむ利点がある。なお、インナースリーブ（４・54）は、外部導体（８・58）内でのインピーダンス整合の役割も持つ。
【００２５】
本発明においては、さらに、前記インシュレータ（９、59）の、前記折り返し編組（13´）の端面（13´b）と対向する端面（9b・59b）に張り出す係止片（4d・54d）を、前記インナースリーブ（４・54）に形成することができる。係止片（4d・54d）も、上記両者間の空気層に存在する導電体であるので、空気層の存在に伴うインピーダンス増加を抑制する。これにより、より安定した高周波特性（VSWR）を発揮できる同軸コネクタを提供できる。
【発明の効果】
【００２６】
以上の説明から明らかなように、本発明によれば、端末誘電体層長さに偏差（ばらつき）がある場合においても、安定した高周波特性（VSWR）を発揮できる同軸コネクタを提供することができる。
【図面の簡単な説明】
【００２７】
【図１】本発明の実施形態に係る同軸コネクタ（プラグＰ、オス型）の断面斜視図である。
【図２】図１の同軸コネクタの分解斜視図である。
【図３】図１の同軸コネクタのインナースリーブ４を斜め元側から見た斜視図である。
【図４】図１の同軸コネクタのインナースリーブ４とインシュレータ９、外部導体８の組立状態を斜め元側から見た断面斜視図である。
【図５】図１の同軸コネクタのインナースリーブ４の接触片4bの作用を示す断面図である。同図（Ａ）は、端末誘電体層長さＢ３が最大の場合であり、同図（Ｂ）は、同長さＢ２がノミナルの場合であり、同図（Ｃ）は、同長さＢ１が最小での場合である。
【図６】本発明の実施形態に係る同軸コネクタ（ジャックＪ、メス型）の断面斜視図である。
【図７】図６の同軸コネクタの分解斜視図である。
【図８】図６の同軸コネクタのインナースリーブ54とインシュレータ59の組立状態を斜め元側から見た斜視図である。
【図９】同軸コネクタの長手方向に、インピーダンス（TDR、Ω）をシミュレーションした結果を表すグラフである。
【図１０】同軸コネクタに流れる信号の周波数（横軸、GHz）と、VSWR;Voltage Standing Wave Ratio （電圧定在波比、縦軸、Y1）との関係を表すグラフであって、シミュレーションした結果を表すグラフである。
【図１１】従来の同軸ケーブルコネクタの一例の断面斜視図である。上のＰがプラグ（オス）であり、下のＪがジャック（メス）である。
【図１２】図１１の従来の同軸コネクタを用いたケーブル接続作業の概要を示す斜視図である。
【図１３】図１１の従来の同軸コネクタを用いたケーブル接続作業の概要を示す斜視図である。
【図１４】同軸ケーブル１の端末加工における、皮むき後露出した誘電体層12の長さＢに、加工偏差が生じることを示す側面図である。
【図１５】従来の組立て後のプラグＰにおいて、折り返し編組13´の先側端面13´bと、同面と対向するボディ107の端面107xとの間の隙間Ｃが、変わってくる様子を示す側面断面図である。
【図１６】本発明の他の実施形態に係る同軸コネクタにおける、インナースリーブ304の接触片304bの形態、及び、折り返し編組13´との関係を示す断面図である。
【符号の説明】
【００２８】
Ｐ；プラグ（オス）、Ｊ；ジャック（メス）
１；同軸ケーブル、11；中心導体、12；誘電体（絶縁体）層、13；編組（編組み銅線）、13´；折り返し編組、13´b；端面、13´x；折り返し編組外周面、
14；シース（保護被覆）
３；スリーブ
４；インナースリーブ、4b；接触片、4bb；根元部、4bc；内突部、4bd；Ｖ谷部、
4bg；持ち上がり部、4d；係止片、4f；根元部、4g；端部、4j；外凸部、4k；抉れ、
4p；窓、4s；胴部、4v；先側、4x；外凸部、4y；抉れ、
５；コンタクト、5b；先端部、5d；中央部、5g；元端部
６；圧着部、７；ボディ、7x；ボディ端面、８；外部導体
９；インシュレータ、9b；元側端面、9g・9f；インナースリーブ係合部、9h；細径部、9r；台状凸部
53；スリーブ、54；インナースリーブ、54b；接触片、54d；係止片、
55；コンタクト、56；圧着部、57；ボディ、58；外部導体、
59；インシュレータ、59b；端面、59h；細径部
103；スリーブ、105；プラグコンタクト、105b；先端部、105d；中央部、105g；元端部、106；圧着部、107；ボディ、107b；先端部、107x；端面、
108；外部導体、109；インシュレータ、109d；内孔
205；ジャックコンタクト、205b；先端部、205c；中心孔、206；圧着部
207；ボディ、207b；先端部、207c；内孔、208；外部導体、209；インシュレータ
304；インナースリーブ、304b；接触片、304bc；内突部、304bd、Ｖ谷部
304bg；外側持ち上がり部
【発明を実施するための形態】
【００２９】
以下、本発明の実施形態に係る同軸コネクタについて、図面を参照しながら説明する。まず、図１〜図５を参照して、プラグＰ（オス型）のコネクタについて説明する。なお、各図において、前述の従来の図における参照符号から100を引いた符号は、実質的に同様の部分を示す。以下の説明においては、従来の同軸コネクタと同様の部位については、その概要の説明に止めるか、説明を省略する。本実施形態の特徴部分であるインナースリーブ４及びその周りの構成・作用については詳述する。
【００３０】
図１は、本発明の実施形態に係る同軸コネクタ（プラグＰ、オス型）の断面斜視図である。図２は、図１の同軸コネクタの分解斜視図である。これらの図において、同軸ケーブル１の構造は、折り返し編組13´も含めて、従来のものと同じである。また、折り返し編組13´形成用のスリーブ３、圧着部６及び円筒形のボディ７からなる外部導体８の構造は、図１１の従来の場合と実質的に同じである。なお、圧着部６の２つのバレルのうち、ボディ７寄りのバレル6ｂは、折り返し編組13´の外面に圧着される部分であり、その隣（元側）のバレル6dは、シース14の外面に圧着される部分である（バレル6dの元側の平たい帯状のものは連鎖状に多数ならんでいる圧着部６をつなぐキャリアである）。
【００３１】
ボディ７の内部には、略円筒形のインシュレータ９が嵌め込まれている。インシュレータ９の内部には、オス型のコンタクト５が差し込まれている。コンタクト５は、その元端部5gにおいて、ケーブル１の中心導体11に圧着されている。インシュレータ９は、全体としては細長い筒状のものであり、従来のそれと同様のものであるが、その元側外面に、インナースリーブ４との係合部9f・9gが突出するように形成されている。また、元先方向中央部の外面には、細径部9h、及び、略長方形の台状凸部9rが形成されている。前者の細径部9hは、ボディ内部のインピーダンス整合部であり、後者の台状凸部9rはインナースリーブ４との係合部である。
【００３２】
インナースリーブ４は、薄肉円筒状のものであって、インシュレータ９に外嵌されているとともに、外部導体８の内面にはめ込まれている。図３は、インナースリーブ４を斜め元側から見た斜視図である。インナースリーブ４の元側（ケーブル側）の端部4gには、４箇所の接触片4b、及び、６箇所の係止片4dが、角状あるいは歯状に突き出すように、設けられている。
【００３３】
接触片4bは、略Ｖ字状をしており、内径側に傾いて突き出す内突部4bc、その先のＶ谷部4bd、その先の外側持ち上がり部4bgからなる。接触片4bの根元部4bbの両側においては、インナースリーブ４の胴部4sに抉れ4kが入っている。接触片4bの根元部4bbは、胴部4sから傾斜なしで延び出している。接触片4bは、Ｖ谷部4bdをはさんで、内突部4bcと外側持ち上がり部4bgが折れ曲がった形態であり、両者は近接する方向に弾性変形（折れ曲がり）自在である。接触片4bの作用については、図５を参照しつつ後述する。
【００３４】
係止片4dは、内側に爪のように折れ曲がって、内側に張り出している。係止片4dの根元部4fは、胴部4sから真っ直ぐ延び出している。根元部4fの両側にも抉れ4kが存在する。係止片4dの作用については、図５を参照しつつ後述する。
【００３５】
係止片根元部4fの外面には、複数の外凸部4jが形成されている。また、胴部4sの先側4vの外面にも、複数の外凸部4xが形成されている。これらの外凸部4j・4xは、外部導体８の内面にキツク当たって（強く接触し）、インナースリーブ４と外部導体８との電気的導通を安定的に確保している。なお、外凸部4j・4xの両側に抉れ4k・4yが形成されているのは、外凸部4j・4xが、やや内側に弾性変形して、外部導体８内に挿入するためである。
【００３６】
インナースリーブ４の胴部4sのやや元側の部分には、一箇所以上の窓4pが開けられている。これらの窓4pは、インシュレータ９の突出係合部9f・9gとかみ合って、インシュレータ９とインナースリーブ４との位置決め・ズレ止めとなる。
【００３７】
図４は、図１の同軸コネクタのインナースリーブ４とインシュレータ９、外部導体ボディ７の組立状態を、斜め元側から見た断面斜視図である。インナースリーブ４の接触片4bは、インシュレータ９の元側端面9bから、角状に、元側に突き出している。係止片4dは、インシュレータ９の元側端面9bに被さるように、内側に突き出している。
【００３８】
図５は、本実施形態に係る同軸コネクタにおける、インナースリーブ４の接触片4bの作用を示す断面図である。同図（Ａ）は、端末誘電体層長さＢ３が最大の場合であり、同図（Ｂ）は、同長さＢ２がノミナルの場合であり、同図（Ｃ）は、同長さＢ１が最小での場合である。隙間Ｃは、組立て後のプラグＰにおいて、折り返し編組13´の先側端面13´bと、同面と対向するボディ７の端面7xとの間の隙間である。
【００３９】
図５（Ａ）においては、皮むき後露出した誘電体層12の長さＢ３が最大で、隙間Ｃ３も最大である。この場合、接触片4bは、Ｖ字の股の角度が大きく、その元側端も大きく元側に張りだしている。そして、接触片4bの元端部は、折り返し編組13´の端面13´bに接触している。図５（Ｂ）においては、誘電体層12の長さＢ２がノミナルで、隙間Ｃ２もノミナル（設計中心値）である。このとき、接触片4bは、Ｖ字の股の角度が少し小さくなる（鋭角になる）が、その元側端も元側に張りだしていて、接触片4bは、折り返し編組13´の端面13´bに接触している。図（Ｃ）は、誘電体層12の長さＢ１が最小で、隙間Ｃ１がほぼ０である。この場合、接触片4bは、折り返し編組端部13´bと、インシュレータ９元側端面（図４の符号9b参照）との間で挟まれて、接触片4bは、ほぼ折り畳まれきった状態となっている。
【００４０】
誘電体層12の長さが長短いずれの場合でも、接触片4bは、折り返し編組13´と外部導体８とをブリッジして導通させる。接触片4bは、いわば、伸縮自在であり、端末誘電体層長さに偏差（ばらつき）がある場合においても、折り返し編組13´と外部導体８との間に、経路が短く外部導体内径よりも外径の小さい導通路を確保する。
【００４１】
さらに、接触片4bは、折り返し編組13´と外部導体８との間の空気層に存在する導電体であるので、空気層の存在に伴うインピーダンス増加を抑制する。これにより、安定した高周波特性（VSWR）を発揮できる同軸コネクタを提供できる。
【００４２】
なお、接触片4bを、インシュレータ９に外嵌されているインナースリーブ４に形成することにより、部品点数を増やさずにすむ利点がある。なお、インナースリーブ４・54は、外部導体８・58内でのインピーダンス整合の役割も持つ。
【００４３】
次に、ジャックＪの実施形態について説明する。図６は、本発明の実施形態に係る同軸コネクタ（ジャックＪ、メス型）の断面斜視図である。図７は、図６の同軸コネクタの分解斜視図である。図８は、図６の同軸コネクタのインナースリーブ54とインシュレータ59の組立状態を斜め元側から見た斜視図である。
【００４４】
各図において、前述のプラグＰの図１〜４における参照符号に50を加えた符号は、実質的に同様の部分を示す。
【００４５】
次に、接触片4b・54bや係止片4d・54dによる、ケーブル端末加工部のインピーダンス増加抑制効果を説明する。
図９は、同軸コネクタの長手方向に、インピーダンス（TDR、Ω）をシミュレーションしたグラフである。上段のＢ１（min．）は、露出した誘電体層12の長さが最小の場合であり、中段のＢ２（nominal）は、露出した誘電体層12の長さが設計値の場合であり、下段のＢ３（max.）は、露出した誘電体層12の長さが最大の場合である。
【００４６】
図中の実線のカーブは、「接触片4b及び係止片4dのいずれも有」（パターンＡ）という、本発明の実施例である。長破線のカーブは、「接触片4b無、係止片4d有」（パターンＢ）という、比較例である。点線のカーブは、「接触片4b有、係止片4d無」（パターンＣ）という、本発明の実施例である。小幅破線のカーブは、「接触片4b及び係止片4dのいずれも無」（パターンＤ）という、従来例である。
【００４７】
図９には、インピーダンスが急変するピーク状の部分が、各段のカーブに三箇所ずつ存在することが見てとれる。この三箇所のピーク部分のうち、両サイドの部分は、端末加工部分（露出した誘電体層12の周りの部分）である。中央のピークは、オスメスコンタクト５・55の嵌合部分である。これらのピークのうち、中央のピークは、上中下の欄でほぼ一定である。
【００４８】
両サイドのピークは、従来例の小幅破線のカーブや、比較例の長破線のカーブよりも、本発明実施例の実線のカーブや点線のカーブは、相当低くなっている。このように、接触片4bは、折り返し編組13´と外部導体８・58との間の空気層の存在に伴うインピーダンス増加を抑制する。なお、この図９では、実線のカーブに対して、点線のカーブは、場所によってやや高いが、ほぼ重なっている。したがって、この図９からは、係止片4dのインピーダンス増加抑制効果は、接触片4bほどではないことがわかる。
【００４９】
図１０は、同軸コネクタに流れる信号の周波数（横軸、GHz）と、VSWR;Voltage Standing Wave Ratio （電圧定在波比、縦軸、Y1）との関係を表すグラフであって、シミュレーションにより作製したものである。上段のＢ１（min．）は、露出した誘電体層12の長さが最小の場合であり、中段のＢ２（nominal）は、露出した誘電体層12の長さが設計値の場合であり、下段のＢ３（max.）は、露出した誘電体層12の長さが最大の場合である。
【００５０】
図中の実線のカーブは、「接触片4b及び係止片4dのいずれも有」（パターンＡ）という、本発明の実施例である。長破線のカーブは、「接触片4b無、係止片4d有」（パターンＢ）という、比較例である。点線のカーブは、「接触片4b有、係止片4d無」（パターンＣ）という、本発明の実施例である。小幅破線のカーブは、「接触片4b及び係止片4dのいずれも無」（パターンＤ）という、従来例である。
【００５１】
図１０において、各段ともに、信号の周波数が高くなるほど、VSWRは高くなる傾向がある。そして、Ｂ２（nominal）及びＢ３（max.）のカーブにおいては、ほぼ５GHzのあたりに、ピークが出現している。しかしながら、このピークにおいて、従来例の小幅破線のカーブや、比較例の破線のカーブよりも、本発明実施例の実線のカーブや点線のカーブは、相当低くなっている。このように、接触片4bは、折り返し編組13´と外部導体８・58との間の空気層の存在に伴う高周波特性の悪化を抑制する。特に、Ｂ３においては、点線のカーブに対して、実線のカーブは、相当下になっており、係止片4dの高周波特性悪化防止効果が、相当あることがわかる。
【００５２】
近い将来に達成が求められるVSWRの目標値は、周波数６GHzで1.5以下と予想される。実線のカーブ、すなわち「接触片4b及び係止片4dのいずれも有」（パターンＡ）という本発明の実施形態は、この目標値を達成しており、特に有望である。
【００５３】
次に、接触片が折り返し編組13´の外周面13´xをスライドする変形例について説明する。図１６は、本発明の他の実施形態に係る同軸コネクタにおける、インナースリーブ304の接触片304bの形態、及び、折り返し編組13´との関係を示す断面図である。この実施形態では、インナースリーブ304の接触片304bが、折り返し編組13´の外周面13´xにスライド可能に接触するものである。
【００５４】
この接触片304bは、内径側に傾いて元側に突き出す内突部304bc、その元側のＶ谷部304bd、及び、その元側の外側持ち上がり部304bgからなる。この接触片304bは、自由姿勢では、図１６の状態よりも、Ｖ谷部304bdの内径がすぼんだ形状である。そして、図１６の状態は、接触片304bが外側に弾性変形し、Ｖ谷部304bdの内面が、折り返し編組13´の外周面13´xによって、押し広げられている。したがって、接触片304bのＶ谷部304bdの内面は、圧力のかかった状態で、折り返し編組13´の外周面13´xに接触している。
【００５５】
接触片304bの元側先端の外側持ち上がり部304bgは、スキーの板の先端のように持ち上がった形状であり、これにより編組折り返し部を誘い込むようになっている。そして、接触片304bのＶ谷部304bdが、折り返し編組13´の外周面13´xを、ケーブル長手方向（元先方向）にスライドしやすい形態となっている。そして、皮むき後露出した誘電体層12´の長さＢが変動した場合にも（図５参照）、接触片304bは、折り返し編組13´と外部導体８（ボディ７）とをブリッジして導通させる。この接触片304bは、いわば、スライド自在であり、端末誘電体層長さに偏差（ばらつき）がある場合においても、折り返し編組13´と外部導体８との間に、経路が短く外部導体内径よりも外径の小さい導通路を確保する。これにより、折り返し編組13´と外部導体８との間の空気層の存在に伴うインピーダンス増加を抑制する。
【図１】
2018006253.tif 000003
【図２】
2018006253.tif 000004
【図３】
2018006253.tif 000005
【図４】
2018006253.tif 000006
【図５】
2018006253.tif 000007
【図６】
2018006253.tif 000008
【図７】
2018006253.tif 000009
【図８】
2018006253.tif 000010
【図９】
2018006253.tif 000011
【図１０】
2018006253.tif 000012
【図１１】
2018006253.tif 000013
【図１２】
2018006253.tif 000014
【図１３】
2018006253.tif 000015
【図１４】
2018006253.tif 000016
【図１５】
2018006253.tif 000017
【図１６】
2018006253.tif 000018